(57)【要約】【課題】表示部が包装材内部にあり、表示内容が縮小してあっても、正確に読み取りできる拡大機能付き包装部材を提供すること。【解決手段】上カバー１１の構造はビデオカメラ１００を覆うための上カバー天面１２と、上カバー天面１２から延びる上カバー側面１３で構成している。上カバー側面１３の上カバー開口端１４には下カバー６１に載置するための上カバー嵌合部１４を設けている。上カバー天面１２は略円形としている。上カバー天面１２の開口内側には、上カバー側面１３より中心寄りに凸レンズ状に形成したレンズ１５を設ける。また光学レンズの歪みに合わせて逆補正されたバーコードを表示部に印刷することで、レンズの歪みがあっても正しくバーコードを読取ることができる。【選択図】図１
2016047732.tif 000002
【特許請求の範囲】
【請求項１】
包装材内部に被梱包物や表示部がある包装材において、包装材は透明として表示部に対向する位置に光学レンズを設け、縮小した表示部を拡大することを特徴とする拡大読取り機能付き包装部材。
【請求項２】
該表示部はバーコードであり、該バーコードは、該光学レンズによる像の歪み分を補正する様に縮小され、該光学レンズを透過して該バーコードを読取ることにより、正確にバーコードを読取ることを特徴とする請求項１に記載の拡大読取り機能付き包装部材。
【請求項３】
前記包装材の開口端には嵌合部を設け、表示部との位置合わせを行うことを特徴とする請求項１または請求項２に記載の拡大読取り機能付き包装部材。
【請求項４】
包装材内部に被梱包物や表示部がある包装材において、包装材内部の表示を輪帯状とし位置合わせを不要とした、縮小した表示部を拡大することを特徴とする拡大読取り機能付き包装部材。
【発明の詳細な説明】
【技術分野】
【０００１】
本発明は、機器を梱包する包装材に関し、特に包装材内部の印刷表示を拡大読み取りが可能な包装部材に関する。
【背景技術】
【０００２】
従来、筐体内部に表示部を持ち、表示部を見通せる窓部に透明なレンズ部を設けた表示部の読取り機構がある。
【０００３】
特許文献１では、計量値又は計測値を表示若しくは指示する表示部と、表示部を覆うように設けられると共に表示部を見通せる窓孔を備えたカバー部材とを備え、窓孔に透明な窓部材を装着して構成される計器装置において、窓部材の少なくとも表示部と対向する内面に凸レンズ状に形成したレンズ部を設けた表示部の読取り機構としている。
【０００４】
また特許文献２では、軟質プラスチック樹脂で上部を半球状（サイクロイド）に盛りあげ、腕時計（市販品）のガラス面に合わせた直径に形成し、吸着させると文字盤が拡大し、ガラス面の傷を防止する着脱が簡単な半球状透明吸盤の読取り機構としている。
【先行技術文献】
【特許文献】
【０００５】
【特許文献１】特開2005-201846号公報
【特許文献２】特開2007-225583号公報
【発明の概要】
【発明が解決しようとする課題】
【０００６】
包装材には被包装品を管理するために管理用のラベルを貼り付けることがある。ところが、収納した被包装品が見えるように包装材の材質として透明ケースを採用すると、管理用ラベルを透明ケース上に貼ることになり、被包装品の見えを妨げるので望ましくないという問題がある。
【０００７】
そこで、対策として透明ケース内にて被包装品と共にラベルを並べて表示することが考えられる。
【０００８】
しかし、透明ケースでは被包装品で隠れる部分には表示ができないため、表示面積が小さくなってしまい表示内容を縮小する必要がありラベルが読取りづらい。
【０００９】
さらには、管理用のラベルをバーコードとし、しかも標準サイズより縮小したバーコードを使用するとバーコードリーダーによる読み取りでは誤読が発生してしまう。
【００１０】
そこで、本発明は、表示部が包装材内部にあり、表示内容が縮小してあっても、正確に読み取りできる拡大読取り機能付き包装部材を提供することを目的とする。
【課題を解決するための手段】
【００１１】
上記の目的を達成するために、本発明は、包装材内部に被梱包物や表示部がある包装材において、包装材は略透明として表示部に対向する位置に光学レンズを設け、縮小した表示部を拡大することを特徴とする拡大読取り機能付き包装部材を特徴とする。
【発明の効果】
【００１２】
本発明の包装部材によれば、表示内容を包装材内部に表示して透明ケース上から読み取ることができ、縮小表現された内容でも拡大して読み取ることが可能となるという効果が得られる。また、管理用ラベルを透明ケース上に貼らずにすみ、外観品位を保つことが可能となるという効果が得られる。
【図面の簡単な説明】
【００１３】
【図１】実施例１の包装部材に機器を収納した状態の斜視図
【図２】実施例１における全体構成を示す斜視図
【図３】実施例１の包装部材に機器を収納した状態の上方視図
【図４】実施例１の図３のA-A面における包装部材の断面図
【図５】実施例２の包装部材に機器を収納した状態の斜視図
【図６】実施例２における全体構成を示す斜視図
【図７】実施例２の包装部材に機器を収納した状態の上方視図
【図８】実施例３の包装部材に機器を収納した状態の斜視図
【図９】実施例３における全体構成を示す斜視図
【図１０】実施例３の包装部材に機器を収納した状態の上方視図
【発明を実施するための形態】
【００１４】
以下、本発明を実施するための形態を図面に基づいて説明する。
【００１５】
［実施例１］
本発明の第１の実施例として、たとえばビデオカメラ梱包で拡大機能付き包装部材を使用した実施形態について、図面を参照しながら説明する。
【００１６】
図１は実施例１の包装部材にビデオカメラ１００を収納した状態の斜視図である。図２はビデオカメラ１００を収納した時の実施例１における全体構成を示す斜視図である。下カバー６１の内側面に化粧帯紙５１を挿入している。
【００１７】
ベース４１を下カバー６１の開口端部に設けた下カバー嵌合部６４に挿入している。第1化粧板紙３１はベース４１の上に載せ、下カバー６１の開口端部に設けた下カバー嵌合部６４に挿入している。
【００１８】
ビデオカメラ１００は第1化粧板紙３１の略中央に載せる。ブリスターカバー２１はビデオカメラ１００にかぶせ下カバー６１の開口端部に設けた下カバー嵌合部６４に挿入している。上カバー１１を下カバー６１の開口端部に設けた下カバー嵌合部６４に挿入して梱包が完成する構成である。
【００１９】
続いて上カバー１１の構造について説明する。図３は実施例１の包装部材にビデオカメラ１００を収納した状態の上方視図である。
【００２０】
図４は図３の収納状態でＡ−Ａ面での包装部材の断面図である。上カバー１１の材質はたとえば合成樹脂材料アクリル等で、射出成形法で成形した構造である。上カバー１１の構造はビデオカメラ１００を覆うための上カバー天面１２と、上カバー天面１２から延びる上カバー側面１３で構成している。上カバー側面１３の開口端には下カバー６１に載置するための上カバー嵌合部１４を設けている。上カバー嵌合部１４は下カバー６１の開口端部に設けた下カバー嵌合部６４に内接する寸法としている。
【００２１】
上カバー天面１２は略円形としている。上カバー天面１２の開口内側には、上カバー側面１３より中心寄りに凸レンズ状に形成したレンズ１５を設ける。なお上カバー開口端以外は成形型を鏡面加工することで、上カバー１１は略透明としている。ブリスターカバー２１の構造は材質がたとえば合成樹脂材料ポリエチレンテレフタラートで、シート材などを真空成形法で成形した薄肉構造である。ブリスターカバー２１の構造はビデオカメラ１００を略中心に収納するための天面受け２２と、天面受け２２から延びビデオカメラ１００の側面に接する側面受け２３と、側面受け２３から延びるフランジ部２４で構成している。
【００２２】
フランジ部２４のブリスター外周２５は下カバー６１の開口端部に設けた下カバー嵌合部６４に内接する寸法としている。なお外周以外は成形型を鏡面加工することで、ブリスターカバー２１は略透明としている。第1化粧板紙３１の構造は材質が紙製で、略円形の板状である。少なくとも一方の面に印刷を行っている。外形は下カバー６１の開口端部に設けた下カバー嵌合部６４に内接する寸法としている。第1化粧板紙３１は図３に示しているように上カバー１１のレンズ１５に対向する位置にたとえば縮小バーコード３２を印刷する。
【００２３】
バーコードを一律に縮小し、レンズ１５を通してバーコードの読み取りを行うとレンズによる像の歪み、特に歪曲収差が発生して、正確に読み取りにくくなる。その場合には、縮小バーコード３２の印刷にあらかじめ像の歪み分を盛り込むことにより、正確にバーコードを読み取ることができるようになる。例えばレンズ１５の収差が像高が高くなるにつれて大きくなる場合は、その分細いバーコードを印刷することで像の歪み分を補正する。
【００２４】
ベース４１の構造は材質が合成樹脂材料で、略円形の板状である。外形は下カバー６１の開口端部に設けた下カバー嵌合部６４に内接する寸法としている。化粧帯紙５１の構造は材質が紙製で展開形状は長方形とし、下カバー６１の内側面に挿入するときは略円筒状にしている。下カバー６１の構造は材質が合成樹脂材料で、射出成形法で成形した構造である。下カバー６１の構造は下カバー底面６２と、下カバー底面６２から延びる下カバー側面６３で構成している。下カバー側面６３の開口端には上カバー１１、ブリスターカバー２１、第1化粧板紙３１、ベース４１を載置するための下カバー嵌合部６４を設けている。
【００２５】
次に梱包手順を図２と図３を用いて説明する。最初に下カバー６１の内側面に化粧帯紙５１を挿入する。次にベース４１を下カバー６１の開口端部に設けた下カバー嵌合部６４に挿入する。次に第1化粧板紙３１をベース４１の上に載せ、下カバー６１の開口端部に設けた下カバー嵌合部６４に挿入する。次にビデオカメラ１００を第1化粧板紙３１の略中央に載せる。このときバーコード３２の上にビデオカメラ１００が覆わないように載せる。
【００２６】
次にブリスターカバー２１をビデオカメラ１００にかぶせ下カバー６１の開口端部に設けた下カバー嵌合部６４に挿入する。次に上カバー１１を下カバー６１の開口端部に設けた下カバー嵌合部６４に挿入する。このとき図３のように上カバー１１を嵌合部で回転させて、バーコード３２の略上方にレンズ１５を配置する。
【００２７】
次に上カバー１１と下カバー６１との結合部を粘着テープで貼りつけることにより梱包が完成する。
【００２８】
本実施例１では上カバー１１と第1化粧板紙３１が下カバー６１の開口端部に設けた嵌合部で回転できるため、上カバー１１のレンズ１５と第1化粧板紙３１のバーコード３２の位置合わせが容易にできる。
【００２９】
以上のように本発明によれば、表示内容を包装材内部に表示して透明ケース上から読み取ることができ、縮小表現された内容でも拡大して読み取ることが可能となるという効果が得られる。
【００３０】
また、管理用ラベルを透明ケース上に貼らずにすみ、外観品位を保つことが可能となるという効果が得られる。
【００３１】
［実施例２］
本発明の第２の実施例として、実施例１における第1化粧板紙３１のバーコードが扇形に印刷された拡大機能付き包装部材の実施形態について、図面を参照しながら説明する。
【００３２】
図５は実施例２の包装部材にビデオカメラ１００を収納した状態の斜視図である。図６はビデオカメラ１００を収納した時の実施例２における全体構成を示す斜視図である。
下カバー６１の内側面に化粧帯紙５１を挿入している。ベース４１を下カバー６１の開口端部に設けた下カバー嵌合部６４に挿入している。
【００３３】
第２化粧板紙７１はベース４１の上に載せ、下カバー６１の開口端部に設けた下カバー嵌合部６４に挿入している。ビデオカメラ１００は第２化粧板紙７１の略中央に載せる。
【００３４】
ブリスターカバー２１はビデオカメラ１００にかぶせ下カバー６１の開口端部に設けた下カバー嵌合部６４に挿入している。上カバー１１を下カバー６１の開口端部に設けた下カバー嵌合部６４に挿入して梱包が完成する構成である。
【００３５】
包装部品の構造は図５、図６の符号が実施例１と同じ部材は実施例１での形態と同一なので説明を省略する。実施例１と異なる第２化粧板紙７１の構造は材質が紙製で、略円形の板状である。少なくとも一方の面に印刷を行っている。外形は下カバー６１の開口端部に設けた下カバー嵌合部６４に内接する寸法としている。第２化粧板紙７１は図７に示してあるように上カバー１１のレンズ１５に対向する位置に扇形バーコード７２を印刷している。扇形バーコード７２は縮小したバーコードを扇形に印刷したものである。
【００３６】
また扇形バーコード７２も縮小バーコード３２と同様にバーコードを一律に縮小し、レンズ１５を通してバーコードの読み取りを行うとレンズによる像の歪み、特に歪曲収差が発生して、正確に読み取ることができない。そのため扇形バーコード７２の印刷にあらかじめ像の歪み分を盛り込むことにより、正確にバーコードを読み取ることができる。
【００３７】
次に梱包手順を図６と図７を用いて説明する。図７は実施例２の包装部材にビデオカメラ１００を収納した状態の上方視図である。最初に下カバー６１の内側面に化粧帯紙５１を挿入する。
【００３８】
次にベース４１を下カバー６１の開口端部に設けた下カバー嵌合部６４に挿入する。次に第２化粧板紙７１をベース４１の上に載せ、下カバー６１の開口端部に設けた下カバー嵌合部６４に挿入する。
【００３９】
次にビデオカメラ１００を第２化粧板紙７１の略中央に載せる。次にブリスターカバー２１をビデオカメラ１００にかぶせ下カバー６１の開口端部に設けた下カバー嵌合部６４に挿入する。
【００４０】
次に上カバー１１を下カバー６１の開口端部に設けた下カバー嵌合部６４に挿入する。このとき図７のように上カバー１１を嵌合部で回転させて、バーコード７２の略上方にレンズ１５を配置する。
【００４１】
次に上カバー１１と下カバー６１との結合部を粘着テープで貼りつけることにより梱包が完成する。実施例１において上カバー１１のレンズ１５と第1化粧板紙３１のバーコード３２の位置合わせが必要だった。
【００４２】
しかし本実施例２では第２化粧板紙７１のバーコード印刷部が上カバー１１のレンズに対向する位置に扇形に縮小印刷しているので、梱包が完成したとき上カバーのレンズがバーコードの許容範囲内で回転方向での位置ズレが発生してもバーコードの読み取りが可能となる。
【００４３】
以上のように本発明によれば、表示内容を包装材内部に表示して透明ケース上から読み取ることができ、表示内容を扇形にすることでレンズの位置合わせが容易となる効果が得られる。
【００４４】
［実施例３］
本発明の第３の実施例として、実施例１における第1化粧板紙３１のバーコードが輪帯状に印刷された拡大機能付き包装部材の実施形態について、図面を参照しながら説明する。
【００４５】
図８は実施例３の包装部材にビデオカメラ１００を収納した状態の斜視図である。図９はビデオカメラ１００を収納した時の実施例３における全体構成を示す斜視図である。
下カバー６１の内側面に化粧帯紙５１を挿入している。ベース４１を下カバー６１の開口端部に設けた下カバー嵌合部６４に挿入している。第３化粧板紙８１はベース４１の上に載せ、下カバー６１の開口端部に設けた下カバー嵌合部６４に挿入している。ビデオカメラ１００は第３化粧板紙８１の略中央に載せる。
【００４６】
ブリスターカバー２１はビデオカメラ１００にかぶせ下カバー６１の開口端部に設けた下カバー嵌合部６４に挿入している。上カバー１１を下カバー６１の開口端部に設けた下カバー嵌合部６４に挿入して梱包が完成する構成である。包装部品の構造は図８、図９の符号が実施例１と同じ部材は実施例１での形態と同一なので説明を省略する。実施例１と異なる第３化粧板紙８１の構造は材質が紙製で、略円形の板状である。少なくとも一方の面に印刷を行っている。
【００４７】
外形は下カバー６１の開口端部に設けた下カバー嵌合部６４に内接する寸法としている。第３化粧板紙８１は図１０に示してあるように上カバー１１のレンズ１５に対向する位置に輪帯バーコード８２を印刷している。輪帯バーコード８２は縮小したバーコードを輪帯状に印刷したものである。また輪帯バーコード８２も縮小バーコード３２と同様にバーコードを一律に縮小し、レンズ１５を通してバーコードの読み取りを行うとレンズによる像の歪み、特に歪曲収差が発生して、正確に読み取ることができない。そのため輪帯バーコード８２の印刷にあらかじめ像の歪み分を盛り込むことにより、正確にバーコードを読み取ることができる。
【００４８】
次に梱包手順を図９と図１０を用いて説明する。図１０は実施例３の包装部材にビデオカメラ１００を収納した状態の上方視図である。最初に下カバー６１の内側面に化粧帯紙５１を挿入する。
【００４９】
次にベース４１を下カバー６１の開口端部に設けた下カバー嵌合部６４に挿入する。次に第３化粧板紙８１をベース４１の上に載せ、下カバー６１の開口端部に設けた下カバー嵌合部６４に挿入する。次にビデオカメラ１００を第３化粧板紙８１の略中央に載せる。次にブリスターカバー２１をビデオカメラ１００にかぶせ下カバー６１の開口端部に設けた下カバー嵌合部６４に挿入する。
【００５０】
次に上カバー１１を下カバー６１の開口端部に設けた下カバー嵌合部６４に挿入する。次に上カバー１１と下カバー６１との結合部を粘着テープで貼りつけることにより梱包が完成する。
【００５１】
本実施例３では第３化粧板紙８１のバーコード印刷部が上カバー１１のレンズ１５に対向する位置に輪帯状に縮小印刷しているので、梱包が完成したとき上カバーのレンズが回転方向のどの位置でもバーコードの読み取りが可能となる。
【００５２】
以上のように本発明によれば、表示内容を包装材内部に表示して透明ケース上から読み取ることができ、表示内容を輪帯状にすることでレンズの位置合わせが不要となる効果が得られる。
【符号の説明】
【００５３】
１１  上カバー、１２  上カバー天面、１３  上カバー側面、１４  上カバー嵌合部、
１５  レンズ、２１  ブリスターカバー、２２  天面受け、２３  側面受け、
２４  フランジ部、２５  ブリスター外周、３１  第１化粧板紙、
３２  縮小バーコード、４１  ベース、５１  化粧帯紙、６１  下カバー、
６２  下カバー底面、６３  下カバー側面、６４  下カバー嵌合部、
７１  第２化粧板紙、７２  扇形バーコード、８１  第３化粧板紙、
８２  輪帯バーコード、１００  ビデオカメラ
【図１】
2016047732.tif 000003
【図２】
2016047732.tif 000004
【図３】
2016047732.tif 000005
【図４】
2016047732.tif 000006
【図５】
2016047732.tif 000007
【図６】
2016047732.tif 000008
【図７】
2016047732.tif 000009
【図８】
2016047732.tif 000010
【図９】
2016047732.tif 000011
【図１０】
2016047732.tif 000012